(57)【特許請求の範囲】
【請求項１】
ゴム製の歯付きベルトと該歯付きベルトにトッププレート背面に設けた係合部材により着脱可能に固定される摩擦係数の小さいトッププレートとを有し、物品を搬送する平坦な物品載置面の裏側となるトッププレート背面の幅方向両外方が左右一対のガイドレールによりそれぞれ摺接して支持されるアキュムレート対応型トッププレートコンベヤ装置であって、
前記係合部材が、前記歯付きベルトを幅方向両外方から挟持する挟持部と該挟持部の先端側に前記歯付きベルトにスナップ結合するスナップ結合用爪部とを有して前記歯付きベルトを抱持して係合するように構成されていることを特徴とするアキュムレート対応型トッププレートコンベヤ装置。
【請求項２】
前記係合部材が、前記歯付きベルトの谷部に係合するように構成されていることを特徴とする請求項１に記載のアキュムレート対応型トッププレートコンベヤ装置。
【請求項３】
前記係合部材が、前記歯付きベルトの山部に係合するように構成されていることを特徴とする請求項１に記載のアキュムレート対応型トッププレートコンベヤ装置。
【請求項４】
前記トッププレートが、物品載置面の裏側となるトッププレート背面であって前記係合部材の幅方向左右の両外方において左右一対のガイドレールにより支持されるように構成されていることを特徴とする請求項１乃至請求項３のいずれか１つに記載のアキュムレート対応型トッププレートコンベヤ装置。
【発明の詳細な説明】
【技術分野】
【０００１】
本発明は、トッププレート上に物品を載置して搬送する物品搬送用のアキュムレート対応型トッププレートコンベヤ装置に関するものである。
【背景技術】
【０００２】
従来、トッププレートコンベヤ装置において、複数のトッププレートを無端状に連結するための構成として、隣接するトッププレートを連結ピン等で回動可能に連結してチェーン状としたものが知られている。
【０００３】
これらのトッププレートコンベヤ装置６００は、図６に示すように、多数のトッププレート６１０が連結ピン６１５により回動可能に連結されて無端のチェーン状となっており、スプロケット６３０間に架け渡されて物品が載置された状態で搬送されるように構成されている。
そして、チェーン状のトッププレート６１０の搬送に関与する部分の背面には、ガイドレール６４０が設けられて載置面を支持する。
【０００４】
これらのトッププレートコンベヤ装置６００は、連結ピン６１５の回動、トッププレート６１０同士やトッププレート６１０とスプロケット６４０との接触により振動や騒音が発生するとともに、連結ピン６１５の摩耗等によりチェーン全体に摩耗伸びが発生したり、破損したりするという問題があった。
【０００５】
また、振動や騒音が少なく伸びも発生しにくく、かつ、強度の高いコンベヤ装置として、ウレタン等のゴム製の無端ベルトの上面を載置面として背面がガイドレールにより支持されたコンベヤ装置が知られている。
【０００６】
これらのコンベヤ装置７００は、図７に示すように、ウレタン等のゴム製の歯付きベルト７２０が、スプロケット７３０間に架け渡されて物品Ｐが載置され搬送されるように構成されている。
歯付きベルト７２０の背面には山部７２２と谷部７２３が等間隔に設けられた歯部７２１となっており、歯付きベルト７２０の搬送に関与する部分の背面には、ガイドレール７４０が設けられて載置面を支持する。
【０００７】
このようなコンベヤ装置７００は、歯付きベルト７２０に使用されるウレタン等のゴムが、通常のトッププレートコンベヤ装置のトッププレートに用いられる樹脂に比べて摩擦係数が高いため、背面のガイドレール７４０との摩擦抵抗により、コンベヤの駆動に大きな駆動力を必要とし、また、アキュムレート時等に載置面で物品を滑らせることが困難であるという問題があった。
【０００８】
これらの問題を解消するために、トッププレートが無端ベルトに複数連結された物品搬送用のトッププレートコンベヤ装置が知られている。
【０００９】
このトッププレートコンベヤ装置８００は、図８、図９に示すように、無端ベルト８２０の表面に複数のトッププレート８１０が固着されるように構成されている。
トッププレート８１０は、搬送方向の一側がヒンジ８１７により他のトッププレート８１０と回動可能に接続されるとともに、搬送方向の他側には嵌合部８１５が設けられ、無端ベルト８２０に設けられた固着突起８２６に凹凸嵌合可能に構成され、また、ヒンジ８１７の無端ベルト８２０側にはロックピン８１６が設けられ、無端ベルト８２０に設けられたロックピン受け８２５に固定的に嵌合可能に構成されている。（例えば、特許文献１参照）。
【特許文献１】特表２００２−５０３１９３号公報（第１２乃至１４頁、図１、図４）
【発明の開示】
【発明が解決しようとする課題】
【００１０】
しかしながら、このような従来のトッププレートコンベヤ装置は、構造が複雑なため製造組立や取り扱いが複雑で、また、ヒンジ等の摩擦可動部が存在するため、振動や騒音が発生するという問題があった。
さらに、ガイドレールを設けると無端ベルトの背面を摩擦することとなり大きな駆動力を必要とするという問題があった。
【００１１】
本発明は、前述したような従来技術の問題を解決するものであって、すなわち、本発明の目的は、物品をトッププレートの物品載置面で滑らすアキュムレートを容易に行い、振動や騒音が少なく摩耗伸びも発生しにくく、かつ、トッププレートと歯付きベルトとの結合構造が単純で製造組立や取り扱いが容易であり、強度の高いアキュムレート対応型トッププレートコンベヤ装置を提供することである。
【課題を解決するための手段】
【００１２】
本請求項１に係る発明は、ゴム製の歯付きベルトと該歯付きベルトにトッププレート背面に設けた係合部材により着脱可能に固定される摩擦係数の小さいトッププレートとを有し、物品を搬送する平坦な物品載置面の裏側となるトッププレート背面の幅方向両外方が左右一対のガイドレールによりそれぞれ摺接して支持されるアキュムレート対応型トッププレートコンベヤ装置であって、前記係合部材が、前記歯付きベルトを幅方向両外方から挟持する挟持部と該挟持部の先端側に前記歯付きベルトにスナップ結合するスナップ結合用爪部とを有して前記歯付きベルトを抱持して係合するように構成されていることにより、前記課題を解決するものである。
【００１３】
本請求項２に係る発明は、請求項１に記載されたアキュムレート対応型トッププレートコンベヤ装置の構成に加えて、前記係合部材が、前記歯付きベルトの谷部に係合するように構成されていることにより、前記課題をさらに解決するものである。
【００１４】
本請求項３に係る発明は、請求項１に記載されたアキュムレート対応型トッププレートコンベヤ装置の構成に加えて、前記係合部材が、前記歯付きベルトの山部に係合するように構成されていることにより、前記課題をさらに解決するものである。
【００１５】
本請求項４に係る発明は、請求項１乃至請求項３のいずれか１つに記載されたアキュムレート対応型トッププレートコンベヤ装置の構成に加えて、前記トッププレートが、物品載置面の裏側となるトッププレート背面であって前記係合部材の幅方向左右の両外方において左右一対のガイドレールにより支持されるように構成されていることにより、前記課題をさらに解決するものである。
【発明の効果】
【００１６】
本発明のアキュムレート対応型トッププレートコンベヤ装置は、ゴム製の歯付きベルトと該歯付きベルトにトッププレート背面に設けた係合部材により着脱可能に固定される摩擦係数の小さいトッププレートとを有し、物品を搬送する平坦な物品載置面の裏側となるトッププレート背面の幅方向両外方が左右一対のガイドレールによりそれぞれ摺接して支持されることにより、物品をトッププレートの物品載置面で滑らすアキュムレートを容易に行い、振動や騒音を少なくし、摩耗伸びの発生も防止することができるとともに、以下のような格別の効果を奏することができる。
【００１７】
すなわち、本請求項１に係る発明のアキュムレート対応型トッププレートコンベヤ装置は、係合部材が歯付きベルトを幅方向両外方から挟持する挟持部とこの挟持部の先端側に歯付きベルトにスナップ結合するスナップ結合用爪部とを有して歯付きベルトを抱持して係合するように構成されていることによって、トッププレートと歯付きベルトとのスナップ結合構造が単純でトッププレートと歯付きベルトを確実に固定することができるため、トッププレートと歯付きベルトとの製造組立や取り扱いが容易となるとともに、強度が低下せず破損しにくい構造とすることができる。
【００１８】
そして、本請求項２に係る発明のアキュムレート対応型トッププレートコンベヤ装置は、請求項１に係るアキュムレート対応型トッププレートコンベヤ装置が奏する効果に加えて、係合部材が歯付きベルトの谷部に係合するように構成されていることにより、係合部材を短くできトッププレートをコンパクトにすることができるため、さらにトッププレートと歯付きベルトとの製造組立や取り扱いが容易となる。
【００１９】
また、本請求項３に係る発明のアキュムレート対応型トッププレートコンベヤ装置は、請求項１に係るアキュムレート対応型トッププレートコンベヤ装置が奏する効果に加えて、係合部材が歯付きベルトの山部に係合するように構成されていることにより、係合部材の先端のスナップ結合用爪部までの距離を長く取れるため、トッププレートの剛性を高くしても係合部材の挟持部のスナップ結合のための弾性を確保することができ、トッププレートと歯付きベルトとの製造組立や取り扱いが容易となる。
【００２０】
また、請求項４に係る発明のアキュムレート対応型トッププレートコンベヤ装置は、請求項１乃至請求項３のいずれかに係るアキュムレート対応型トッププレートコンベヤ装置が奏する効果に加えて、トッププレートが、物品載置面の裏側となるトッププレート背面であって係合部材の幅方向左右の両外方において左右一対のガイドレールにより支持されるように構成されていることにより、左右一対のガイドレールが摩擦係数の小さいトッププレートと摺動するため、振動や騒音が軽減されるとともに必要な駆動力も小さなものとすることができる。
【発明を実施するための最良の形態】
【００２１】
本発明は、ゴム製の歯付きベルトとこの歯付きベルトにトッププレート背面に設けた係合部材により着脱可能に固定されるトッププレートとを有し、物品を搬送する平坦な物品載置面の裏側となるトッププレート背面の幅方向両外方が左右一対のガイドレールにより摺接して支持されるアキュムレート対応型トッププレートコンベヤ装置であって、係合部材が歯付きベルトを幅方向両外方から挟持する挟持部とこの挟持部の先端側に歯付きベルトにスナップ結合するスナップ結合用爪部とを有して歯付きベルトを抱持して係合するように構成され、振動や騒音が少なく摩耗伸びも発生しにくく、トッププレートと歯付きベルトとの結合構造が単純で製造組立や取り扱いが容易であり、強度の高いトッププレートコンベヤであれば、その具体的な実施態様は如何なるものであっても何ら構わない。
【００２２】
本発明で用いるトッププレートの具体的な材料については、振動や騒音が少なく伸びも発生しにくく、かつ、トッププレートと歯付きベルトとの結合構造が単純で製造組立や取り扱いが容易であり、強度の高いトッププレートコンベヤとするという効果を発揮するために、例えば、樹脂製や金属製のものを用いるのが好ましく、樹脂製のものを用いた場合には、軽量で加工性に富み、振動や騒音をより軽減できるのでより好ましい。
【００２３】
また、本発明で用いるゴム製の歯付きベルトの具体的な材料については、柔軟性と耐久性にすぐれたものあれば良く、例えば、ウレタンゴムのようなものが好ましい。
また、強度に優れた金属やケブラー等の線材を芯材として内包するものでも良く、複数の材料を積層したものであっても良い。
【実施例】
【００２４】
以下に、本発明の一実施例であるアキュムレート対応型トッププレートコンベヤ装置について図面を基づいて説明する。
図１は、本発明の実施例であるアキュムレート対応型トッププレートコンベヤ装置の使用態様図であり、図２は、図１に示す本発明の第１実施例であるアキュムレート対応型トッププレートコンベヤ装置の断面図であり、図３は、図１に示す本発明の第１実施例であるアキュムレート対応型トッププレートコンベヤ装置の一部斜視図であり、図４は、図１に示す本発明の第２実施例であるアキュムレート対応型トッププレートコンベヤ装置の断面図であり、図５は、図１に示す本発明の第２実施例であるアキュムレート対応型トッププレートコンベヤ装置の一部斜視図である。
【００２５】
まず、本発明の一実施例であるアキュムレート対応型トッププレートコンベヤ装置１００は、図１に示すように、多数のトッププレート１１０が歯付きベルト１２０に係合してチェーン状に形成され、二つのスプロケット１３０の間を周回走行するように構成されている。
そして、アキュムレート対応型トッププレートコンベヤ装置１００の上面が、物品Ｐを搬送する平坦な物品載置面とされている。
これにより、左右一対のガイドレール１４０が、走行するトッププレート１１０のトッププレート背面の幅方向両外方にそれぞれ摺接して支持し、物品載置面の平面性を担保している。 
左右一対のガイドレール１４０は、トッププレートコンベヤ装置１００の幅方向に見て左右両外方に設けられており、トッププレート１１０の左右の係合部材１１１の外方のトッププレート背面に摺接するように設けられている。
【００２６】
そこで、本発明の第１実施例であるアキュムレート対応型トッププレートコンベヤ装置１００のトッププレート１１０が歯付きベルト１２０の谷部１２３に係合する場合について、以下に詳しく説明する。
図２及び図３に示すように、本発明の第１実施例であるアキュムレート対応型トッププレートコンベヤ装置１００のトッププレート１１０には、物品Ｐを載置する物品載置面の裏側となるトッププレート背面に歯付きベルト１２０と係合する係合部材１１１が立設されている。
【００２７】
係合部材１１１は、歯付きベルト１２０を幅方向両外方から挟持する挟持部１１２とこの挟持部１１２の先端側に前記歯付きベルト１２０にスナップ結合するスナップ結合用爪部１１３を有している。
一方、歯付きベルト１２０のベルト背面には、山部１２２と谷部１２３からなる歯部１１１を有している。
【００２８】
そして、挟持部１１２の長さは、歯付きベルト１２０の谷部１２３の厚さに設定され、歯付きベルト１２０は、谷部１２３を挟持部１１２により幅方向両外方から挟持されるとともに、スナップ結合用爪部１１３がスナップ結合することにより厚さ方向も固定されている。
このようにして、全体としてトッププレート１１０が係合部材１１１によって歯付きベルト１２０を抱持することで、トッププレート１１０と歯付きベルト１２０は強固に固定されている。
【００２９】
したがって、このようにして得られた本発明の第１実施例であるアキュムレート対応型トッププレートコンベヤ装置１００は、トッププレート１１０とガイドレール１４０との摺接以外にヒンジ等の摩擦可動部が存在しないため振動や騒音の発生が少なく、かつ、摩耗等によりチェーン全体に摩耗伸びが発生したり、破損したりすることがない。
そして、トッププレート１１０の平坦な物品載置面は、滑りやすい材質を選択することも可能であり、物品Ｐをトッププレート１１０の物品載置面で滑らすアキュムレートを容易に行うことができる。
さらに、トッププレート１１０は、トッププレート背面に係合部材１１１を立設されているだけの単純な構造のため、製造、運搬、取扱いが非常に容易であり、かつ、歯付きベルト１２０にスナップ結合されるため、トッププレートコンベヤ装置全体の組立ても非常に容易となるなど、その効果は甚大である。
【００３０】
次に、本発明の第２実施例であるアキュムレート対応型トッププレートコンベヤ装置２００のトッププレート２１０が歯付きベルト２２０の山部２２２に係合する場合について、以下に詳しく説明する。
図４及び図５に示すように、本発明の第２実施例であるアキュムレート対応型トッププレートコンベヤ装置２００のトッププレート２１０には、物品Ｐを載置する平坦な物品載置面の裏側となるトッププレート背面に歯付きベルト２２０と係合する係合部材２１１が立設されている。
【００３１】
係合部材２１１は、歯付きベルト２２０を幅方向両外方から挟持する挟持部２１２とこの挟持部２１２の先端側に前記歯付きベルト２２０にスナップ結合するスナップ結合用爪部２１３を有している。
一方、歯付きベルト２２０のベルト背面には、山部２２２と谷部２２３からなる歯部２１１を有している。
【００３２】
そして、挟持部２１２の長さは、歯付きベルト２２０の山部２２２の厚さに設定され、歯付きベルト２２０は、山部２２２を挟持部２１２により幅方向両外方から挟持されるとともに、スナップ結合用爪部２１３がスナップ結合することにより厚さ方向も固定されている。
このようにして、全体としてトッププレート２１０が係合部材２１１によって歯付きベルト２２０を抱持することで、トッププレート２１０と歯付きベルト２２０は強固に固定されている。
なお、スナップ結合用爪部２１３には、歯付きベルト２２０の山部２２２の先端に係合する切欠きが設けられており、ベルト進行方向に対しても強固に固定されている。
【００３３】
したがって、このようにして得られた本発明の第２実施例であるアキュムレート対応型トッププレートコンベヤ装置２００は、トッププレート２１０と左右一対のガイドレール２４０との摺接以外にヒンジ等の摩擦可動部が存在しないため振動や騒音の発生が少なく、かつ、摩耗等によりチェーン全体に摩耗伸びが発生したり、破損したりすることがない。
そして、トッププレート２１０の平坦な物品載置面は、滑りやすい材質を選択することも可能であり、物品Ｐをトッププレート２１０の物品載置面で滑らすアキュムレートを容易に行うことができる。
さらに、トッププレート２１０は、トッププレート背面に係合部材２１１を立設されているだけの単純な構造のため、製造、運搬、取扱いが非常に容易であり、かつ、歯付きベルト２２０にスナップ結合されるため、トッププレートコンベヤ装置全体の組立ても非常に容易となる。
【００３４】
さらに、挟持部２１２の長さが、歯付きベルト２２０の山部２２２の厚さに設定されることにより、トッププレート２１０が剛性の高い材料であってもスナップ結合のための弾性を十分に確保することができ、トッププレートコンベヤ装置全体の組立てがさらに容易となるなど、その効果は甚大である。
【図面の簡単な説明】
【００３５】
【図１】本発明の実施例であるアキュムレート対応型トッププレートコンベヤ装置の使用態様図。
【図２】本発明の第１実施例であるアキュムレート対応型トッププレートコンベヤ装置の断面図。
【図３】本発明の第１実施例であるアキュムレート対応型トッププレートコンベヤ装置の一部斜視図。
【図４】本発明の第２実施例であるアキュムレート対応型トッププレートコンベヤ装置の断面図。
【図５】本発明の第２実施例であるアキュムレート対応型トッププレートコンベヤ装置の一部斜視図。
【図６】従来のトッププレートコンベヤ装置の使用態様図。
【図７】従来の無端ベルトコンベヤ装置の使用態様図。
【図８】従来のベルトを組み合わせたトッププレートコンベヤ装置の使用態様図。
【図９】従来のベルトを組み合わせたトッププレートコンベヤ装置の一部側面図。
【符号の説明】
【００３６】
１００，２００  ・・・アキュムレート対応型トッププレートコンベヤ装置
１１０，２１０  ・・・トッププレート
１１１，２１１  ・・・係合部材
１１２，２１２  ・・・挟持部
１１３，２１３  ・・・スナップ結合用爪部
１２０，２２０  ・・・歯付きベルト
１２１，２２１  ・・・歯部
１２２，２２２  ・・・山部
１２３，２２３  ・・・谷部
１３０          ・・・スプロケット
１４０，２４０  ・・・ガイドレール
６００  ・・・トッププレートコンベヤ装置
６１０  ・・・トッププレート
６２５  ・・・連結ピン
６３０  ・・・スプロケット
６４０  ・・・ガイドレール
７００  ・・・コンベヤ装置
７２０  ・・・歯付きベルト
７２１  ・・・歯部
７２２  ・・・山部
７２３  ・・・谷部
７３０  ・・・スプロケット
８００  ・・・トッププレートコンベヤ装置
８１０  ・・・トッププレート
８１５  ・・・嵌合部
８１６  ・・・ロックピン
８１７  ・・・ヒンジ
８２５  ・・・ロックピン受け
Ｐ    ・・・物品
【図１】
0004536107.tif 000002
【図２】
0004536107.tif 000003
【図３】
0004536107.tif 000004
【図４】
0004536107.tif 000005
【図５】
0004536107.tif 000006
【図６】
0004536107.tif 000007
【図７】
0004536107.tif 000008
【図８】
0004536107.tif 000009
【図９】
0004536107.tif 000010